(57)【要約】【課題】  １つのサイズで、大きさの異なる複数のペットに対応して装着することができるとともに、胴回りの寸法が非常に短いペットでも、ずれや隙間を生じさせないように装着することができるペット用おむつを提供する。【解決手段】  予め定める第１方向の寸法が第１方向に垂直な第２方向の寸法よりも長いおむつ本体であって、不透液性を有する外側シートと、外側シートに部分的に接合される、通気性および透液性を有する内側シートと、内側シートおよび外側シートの未接合部との間に配置される、吸液性を有する吸収体と、吸収体の第２方向両側で、第１方向に沿って延び、内側シートおよび外側シートに接合され、吸収体に近接する領域が起立可能な一対の漏出防止シートと、を有するおむつ本体と、漏出防止シートの第１方向一端部であって、かつ第２方向における吸収体の配置される側とは反対側の領域に設けられ、外側シートに係止可能な係止手段と、を含む。【選択図】      図１
2013135638.tif 000002
【特許請求の範囲】
【請求項１】
予め定める第１方向の寸法が前記第１方向に垂直な第２方向の寸法よりも長いおむつ本体であって、
不透液性を有する外側シートと、
前記外側シートに重ねた状態で外側シートに部分的に接合される、通気性および透液性を有する内側シートと、
互いに未接合の前記内側シートの未接合部と前記外側シートの未接合部との間に、前記第１方向一端部の端縁よりも前記第１方向他端部側に退避して配置される、吸液性を有する吸収体と、
前記吸収体の前記第２方向両側で、かつ前記第１方向一端部の端縁から第１方向他端部の端縁まで前記第１方向に沿って延び、前記内側シートおよび前記外側シートに接合され、前記吸収体に近接する領域が起立可能な一対の漏出防止シートと、を有するおむつ本体と、
前記漏出防止シートの前記第１方向一端部であって、かつ前記第２方向における吸収体の配置される側とは反対側の領域に設けられ、前記外側シートに係止可能な係止手段と、を含むことを特徴とするペット用おむつ。
【請求項２】
前記内側シートおよび前記外側シートには、前記吸収体よりも前記第１方向他端部側に、前記内側シートおよび前記外側シートを貫く切込みが形成されることを特徴とする請求項１に記載のペット用おむつ。
【請求項３】
前記係止手段は、前記外側シートに係止された状態では、前記外側シート側から外部に露出しないことを特徴とする請求項１または２に記載のペット用おむつ。
【発明の詳細な説明】
【技術分野】
【０００１】
本発明は、ペット用おむつに関する。
【背景技術】
【０００２】
近年、犬や猫などに代表される愛玩動物であるペットを屋内で飼育する人が増加している。ペットはその習性として排尿行為を単に生理現象として行うだけでなく、自らの縄張りを主張するためのマーキングとして行う場合もあるので、ペットを屋内で飼育する場合、部屋の壁面や家具などに排尿がなされ、屋内が汚損されるという問題がある。
【０００３】
このような屋内での排尿は、成犬になれば訓練によってその行為を所定の場所に行わせることができるが、生まれてから間もない子犬や一歳未満の幼犬、老犬の場合には難しいという問題がある。このような問題を解決するための従来技術として、たとえば特許文献１には、ペットの臀部を覆うように装着することができるペット用おむつに関する技術が開示されている。
【０００４】
特許文献１に記載のペット用おむつは、裏面が薄いポリエチレンフィルムで覆われたＩ字型の吸水性材料からなり、一方の端の両側に着脱用粘着テープが取付けられ、他方の端の内方の中央部に尻尾穴が設けられ、他方の端の両側には、前記着脱用粘着テープと連結する粘着テープが取付けられた構成であり、ペットの尻尾を尻尾穴に通し、ペットの背中側で着脱用粘着テープを粘着テープに連結してペットに装着される。
【０００５】
しかしながら、着脱用粘着テープは、粘着テープのある領域にしか連結することができないので、粘着テープの寸法分しか、胴回りの寸法差を許容することができない。したがって、１つのサイズのペット用おむつで対応できる胴回りの範囲が狭いので、大きさの異なる複数のペットに対応するためには、多くのサイズのおむつを製造する必要があるという問題がある。
【０００６】
また、前記従来技術のペット用おむつは、装着するペットが胴回りの寸法がある程度の寸法ある場合には、糞尿が漏れ出すような隙間を生じさせることなくペットに装着させることができる。
【０００７】
しかしながら、前記従来技術のペット用おむつは、着脱用粘着テープの吸水性材料に接続される側とは反対側の端縁同士が接触するところまでしか、その寸法を短くすることはできない。したがって、対応できる寸法に限界があるので、たとえば小型犬や猫のように胴回りの寸法が非常に短いペットには、ずれや隙間を生じさせないように装着することが難しいという問題がある。
【先行技術文献】
【特許文献】
【０００８】
【特許文献１】実用新案登録第３０３１３２１号公報
【発明の概要】
【発明が解決しようとする課題】
【０００９】
本発明の目的は、１つのサイズで、大きさの異なる複数のペットに対応して装着することができるとともに、胴回りの寸法が非常に短いペットでも、ずれや隙間を生じさせないように装着することができるペット用おむつを提供することである。
【課題を解決するための手段】
【００１０】
本発明は、予め定める第１方向の寸法が前記第１方向に垂直な第２方向の寸法よりも長いおむつ本体であって、
不透液性を有する外側シートと、
前記外側シートに重ねた状態で外側シートに部分的に接合される、通気性および透液性を有する内側シートと、
互いに未接合の前記内側シートの未接合部と前記外側シートの未接合部との間に、前記第１方向一端部の端縁よりも前記第１方向他端部側に退避して配置される、吸液性を有する吸収体と、
前記吸収体の前記第２方向両側で、かつ前記第１方向一端部の端縁から第１方向他端部の端縁まで前記第１方向に沿って延び、前記内側シートおよび前記外側シートに接合され、前記吸収体に近接する領域が起立可能な一対の漏出防止シートと、を有するおむつ本体と、
前記漏出防止シートの前記第１方向一端部であって、かつ前記第２方向における吸収体の配置される側とは反対側の領域に設けられ、前記外側シートに係止可能な係止手段と、を含むことを特徴とするペット用おむつである。
【００１１】
また本発明は、前記内側シートおよび前記外側シートには、前記吸収体よりも前記第１方向他端部側に、前記内側シートおよび前記外側シートを貫く切込みが形成されることを特徴とする。
【００１２】
また本発明は、前記係止手段は、前記外側シートに係止された状態では、前記外側シート側から外部に露出しないことを特徴とする。
【発明の効果】
【００１３】
本発明によれば、外側シートと係止可能な係止手段が、漏出防止シートの第１方向一端部であって、かつ第２方向における吸収体の配置される側とは反対側の領域に設けられるので、おむつ本体の第２方向一端部と他端部を近接させた状態で、係止手段を裏面シートに係止して、ペットに装着することができる。したがって、胴回りの寸法が非常に短いペットでも、ずれや隙間を生じさせないように装着することができる。
【００１４】
また、裏面シートの寸法の範囲内で、第２方向の寸法を調整することができるので、１つのサイズで、大きさの異なる複数のペットに対応して装着することができる。
【００１５】
また本発明によれば、内側シートおよび外側シートには、吸収体よりも第１方向他端部側に、内側シートおよび外側シートを貫く切込みが形成されるので、切込みに尻尾を通してペット用おむつを装着することができる。したがって、尻尾によってペット用おむつの位置が固定されるので、ペット用おむつが不所望にずれることを防ぐことができる。
【００１６】
また本発明によれば、係止手段は、外側シートに係止された状態では、外側シート側から外部に露出しないので、装着時における見た目を向上させることができる。
【図面の簡単な説明】
【００１７】
【図１】本発明の一実施形態であるペット用おむつ１を平面状に展開した正面図である。
【図２】図１における切断面線ＩＩ−ＩＩで切断したペット用おむつ１の断面を模式的に示す図である。
【図３】図１における切断面線ＩＩＩ−ＩＩＩで切断したペット用おむつ１の断面を模式的に示す図である。
【発明を実施するための形態】
【００１８】
図１は、本発明の一実施形態であるペット用おむつ１を平面状に展開した正面図である。図２は、図１における切断面線ＩＩ−ＩＩで切断したペット用おむつ１の断面を模式的に示す図であり、図３は、図１における切断面線ＩＩＩ−ＩＩＩで切断したペット用おむつ１の断面を模式的に示す図である。
【００１９】
ペット用おむつ１は、展開状態で正面視したとき（図１に示す状態）の形状が、Ｉ字形状であって、犬や猫などのペットを屋内で飼育する際に用いられ、その長手方向の各端部がペットの腹部と背中部にそれぞれ位置するようにして、ペットの腹部、股部、臀部および背中部を覆う状態で装着し、使用される。
【００２０】
ペット用おむつ１の平面状に展開したときの形状は、Ｉ字形状に限られず、長方形状であってもよく、またＩ字形状や長方形状の長手方向の両端縁が円弧状に湾曲した形状であってもよい。
【００２１】
ペット用おむつ１は、第１方向（長手方向）Ｘの寸法が第１方向Ｘに垂直な第２方向（幅方向）Ｙの寸法よりも長いおむつ本体２と、おむつ本体２の第１方向Ｘの各端部２Ａ，２Ｂ同士を係止し、ペットの胴回りの寸法にペット用おむつ１の大きさを調整するための係止手段３とを含む。係止手段３の詳細については、後述する。なお、第１方向Ｘおよび第２方向Ｙに垂直な方向を、第３方向（厚み方向）Ｚとする。また、これらの第１〜第３方向Ｘ，Ｙ，Ｚは、直交３軸方向を成す。
【００２２】
本実施形態において、おむつ本体２は、長手のＩ字形状のシート体である。より詳細には、本実施形態において、おむつ本体２は、第１方向Ｘ両端部２Ａ，２Ｂにおける第２方向Ｙの寸法よりも、第１方向Ｘ中央部２Ｃにおける第２方向Ｙの寸法が短く形成され、第１方向Ｘの距離Ｌ１は、３０．０ｃｍ、第１方向Ｘ両端部２Ａ，２Ｂにおける第２方向Ｙの距離Ｌ２は、２１．０ｃｍ、第１方向Ｘ中央部２Ｃにおける第２方向Ｙの距離Ｌ３は、１３．８ｃｍである。おむつ本体２の第１方向Ｘ両端部２Ａ，２Ｂの各端縁４Ａ，４Ｂは、幅方向（第２方向Ｙ）と平行な一直線に形成される。
【００２３】
おむつ本体２の距離Ｌ１〜Ｌ３は、上記数値に限られることはなく、ペット用おむつ１を装着するペットのサイズに合わせて適宜変更可能であるが、その距離の比はほぼ一定であり、Ｌ１，Ｌ２，Ｌ３の距離の比が、約１０：７：４となるように形成される。
【００２４】
おむつ本体２は、不透液性を有する外側シート６と、外側シート６に重ねた状態で外側シート６に部分的に接合される、通気性および透液性を有する内側シート５と、互いに未接合の内側シート５の未接合部と外側シート６の未接合部との間に、第１方向Ｘ一端部２Ａの端縁４Ａよりも第１方向Ｘ他端部２Ｂ側に退避して配置される、吸液性を有する吸収体７と、吸収体７の第２方向Ｙ両側で、かつ第１方向Ｘ一端部２Ａの端縁４Ａから第１方向Ｘ他端部２Ｂの端縁４Ｂまで第１方向Ｘに沿って延び、内側シート５および外側シート６に接合され、吸収体７に近接する領域が起立可能な一対の漏出防止シート８とを有する。
【００２５】
内側シート５は、ペット用おむつ１の装着時に内側、すなわちペットと接触する側のシート体であり、外側シート６は、ペット用おむつ１の装着時に外側、すなわちペットと接触しない側のシート体である。
【００２６】
係止手段３は、外側シート６に係止可能な部材であり、漏出防止シート８の内側シート５および外側シート６に接合される面とは厚み方向Ｚに関して反対側の面上に設けられる。係止手段３は、第１方向Ｘ一端部２Ａであって、かつ第２方向Ｙにおける吸収体７の配置される側とは反対側の第２方向Ｙ各端部９Ａ，９Ｂ側の領域に設けられる。以下、第２方向Ｙ一端部９Ａ側の領域に設けられる係止手段３を係止手段３Ａとし、第２方向Ｙ他端部９Ｂ側の領域に設けられる係止手段３を係止手段３Ｂとする。
【００２７】
係止手段３は、長方形状であって、その長手方向、幅方向、厚み方向は、それぞれ第１方向Ｘ、第２方向Ｙ、第３方向Ｚと一致する。本実施形態において係止手段３の長辺は２．６ｃｍ、短辺は２．０ｃｍである。
【００２８】
係止手段３Ａは、第１方向Ｘ一端部２Ａであって、かつ第２方向Ｙにおいて、吸収体７よりも第２方向Ｙ一端１３寄りの位置に設けられ、係止手段３Ｂは、第１方向Ｘ一端部２Ａであって、かつ第２方向Ｙにおいて、吸収体７よりも第２方向Ｙ他端１４寄りの位置に設けられる。
【００２９】
詳細には、係止手段３Ａ，３Ｂは、第１方向Ｘにおいて、端縁４Ａから端縁４Ｂに向かって距離Ｌ９だけ離間した位置に、係止手段３Ａ，３Ｂの一端（係止手段３の長手方向における、端縁４Ａ側の一端）３Ａａ，３Ｂａが位置するように設けられる。また係止手段３Ａは、第２方向Ｙにおいて、一端１３から他端１４に向かって、距離Ｌ１０だけ離間した位置に、係止手段３の一端（係止手段３の幅方向における、一端１３側の一端）３Ａｂが位置するように設けられる。また係止手段３Ｂは、第２方向Ｙにおいて、他端１４から一端１３に向かって、距離Ｌ１０だけ離間した位置に、係止手段３の一端（係止手段３の幅方向における、他端１４側の一端）３Ｂｂが位置するように設けられる。
【００３０】
一端３Ａａは、係止手段３Ａの短辺のうち、端縁４Ａ側の短辺であり、一端３Ｂａは、係止手段３Ｂの短辺のうち、端縁４Ａ側の短辺であり、一端３Ａｂは、係止手段３Ａの長辺のうち、一端１３側の長辺であり、一端３Ｂｂは、係止手段３Ｂの長辺のうち、他端１４側の長辺である。
【００３１】
距離Ｌ９，Ｌ１０は、ペット用おむつ１が用いられるペットのサイズや種類などによって適宜決定でき、距離Ｌ９は、１．０ｃｍ〜２．０ｃｍの範囲であればよいが、本実施形態では１．５ｃｍである。また距離Ｌ１０は、０．５ｃｍ〜１．５ｃｍの範囲であればよいが、本実施形態では１．０ｃｍである。
【００３２】
このような位置に係止手段３が設けられるので、おむつ本体２の第１方向Ｘ一端部２Ａと他端部２Ｂを近接させた状態で、第２方向Ｙ一端１３と他端１４を近接させるように、詳細には第２方向Ｙ一端１３と他端１４とが接触するまで近接させて、係止手段３を外側シート６に係止して、ペットに装着することができる。したがって、胴回りの寸法が非常に短いペットでも、ずれや隙間を生じさせないように装着することができる。
【００３３】
また、外側シート６の第２方向Ｙの寸法の範囲内で、装着時における第２方向Ｙの寸法を調整することができるので、１つのサイズで、大きさの異なる複数のペットに対応して装着することができる。
【００３４】
本実施形態では、係止手段３は、第１方向Ｘ一端部２Ａであって、かつ第２方向Ｙ一端部９Ａ側の領域に１つ設けられ、第１方向Ｘ一端部２Ａであって、かつ第２方向Ｙ他端部９Ｂ側の領域に１つ設けられる。
【００３５】
ペット用おむつ１をペットに装着する際に、係止手段３は、厚み方向Ｚにおける一方の一方主面３ａが漏出防止シート８と接合し、厚み方向Ｚにおける他方の他方主面３ｂが、第１方向Ｘ他端部２Ｂ側の外側シート６と接合されて係止される。より詳細には、係止手段３は、外側シート６の漏出防止シート８と接合される、厚み方向Ｚ一方の一方主面６ａとは厚み方向Ｚ反対側の他方主面６ｂと接合される。
【００３６】
このように、係止手段３は、外側シート６に係止されるので、係止手段３が外側シート６に係止された状態では、外側シート６側から係止手段３は外部に露出しない。換言すれば、外側シート６側から係止手段３を視認することができない。係止手段３は、外側シート６に係止された状態では、外側シート６側から外部に露出しないので、装着時におけるペット用おむつ１の見た目を向上させることができる。
【００３７】
本実施形態において、係止手段３は、本実施形態ではマジックテープ（登録商標）とも呼ばれる面状ファスナによって実現されるが、係止手段３は、外側シート６と接合可能であればよく、たとえば、他の実施形態では両面に粘着性を有する粘着テープによって実現されてもよい。また、係止手段３の形状は、長方形状に限らず、たとえば、正方形状や他の多角形状、円形状であってもよい。
【００３８】
また本実施形態では、係止手段３が、第１方向Ｘ一端部２Ａであって、かつ第２方向Ｙ一端部９Ａ側の領域に１つ設けられ、第１方向Ｘ一端部２Ａであって、かつ第２方向Ｙ他端部９Ｂ側の領域に１つ設けられているが、他の実施形態では、各端部９Ａ，９Ｂ側に複数設けられてもよい。
【００３９】
内側シート５と外側シート６との間には、吸収体７よりも第１方向Ｘ一端部２Ａの端縁４Ａ側および第１方向Ｘ他端部２Ｂの端縁４Ｂ側に、それぞれ可撓性および伸縮性を有する補強シート１０が配設され、さらに内側シート５および外側シート６の吸収体７よりも第１方向Ｘ他端部２Ｂ側には、装着時に尻尾を挿通するための切込み１１が内側シート５および外側シート６を貫通して形成される。
【００４０】
内側シート５は、通気性および透液性を有するシートであればよく、たとえば合成繊維および再生繊維から成る繊維シートまたは繊維ウェッブの繊維同士を物理的に交絡させて形成される不織布などを用いることができる。本実施の形態では、不織布を用いて形成される。内側シート５は、通気性および透液性を有するシートであるので、内側シート５側から、排尿を吸収体７に導くことができる。
【００４１】
内側シート５は、吸収体７および補強シート１０が設けられる領域では、外側シート６と未接合であり、吸収体７および補強シート１０が設けられない領域では、内側シート５の厚み方向Ｚ一方の一方主面５ａと外側シート６の一方主面６ａと接合される。吸収体７および補強シート１０が設けられる領域では、内側シート５の一方主面５ａは、吸収体７および補強シート１０とのみ接触する。
【００４２】
内側シート５の他方の面である他方主面５ｂは、漏出防止シート８とのみ接触する。一方主面５ａおよび他方主面５ｂは、内側シート５の厚み方向（第３方向Ｚ）における両面であり、一方主面５ａは、第３方向Ｚにおいて他方主面５ｂの反対側の面である。また、外側シート６の一方主面６ａおよび他方主面６ｂは、外側シート６の厚み方向（第３方向Ｚ）における両面であり、一方主面６ａは、第３方向Ｚにおいて他方主面６ｂの反対側の面である。
【００４３】
本実施形態において、内側シート５は、外側シート６よりも第２方向Ｙの寸法が小さく形成され、外側シート６の第３方向Ｚに積層されて接合される。
【００４４】
外側シート６は、不透液性で可撓性を有するシートなどを用いて形成することができ、本実施の形態では、たとえばポリエチレン製のシートが用いられる。また外側シート６には、不透液性および可撓性に加えて透湿性を有するシートを用いてもよい。このような透湿性をも有するシートを用いることによって、装着時においてペット用おむつ１とペットとの間の湿度の上昇を防ぐことができ、蒸れることによるペットの不快感を低減することができる。
【００４５】
本実施形態において、外側シート６は、内側シート５よりも第２方向Ｙの寸法が大きく形成され、内側シート５、補強シート１０、漏出防止シート８と接合される。
【００４６】
外側シート６は、内側シート５、補強シート１０、および漏出防止シート８と接合された状態において、外側シート６の長手方向、幅方向および厚み方向が、内側シート５および漏出防止シート８の長手方向、幅方向および厚み方向と一致する。
【００４７】
内側シート５、外側シート６、補強シート１０および漏出防止シート８の接合には、あらゆる公知の方法を用いることができるが、本実施形態では、工業用糊材であるたとえばホットメルト接着剤を用いて加圧・加熱することにより、各シート５，６，８，１０は接合される。前記工業用糊材としては、モレスコ社製のＴＮ−２６９（商品名）、ＴＮ−２５５（商品名）、ＴＮ−２８８（商品名）などを用いることができる。
【００４８】
吸収体７は、内側シート５と外側シート６との間に配設され、矩形状で吸液性を有し、吸収した液体を保持する機能を有する。吸収体７は、第１方向Ｘ一端部２Ａの端縁４Ａよりも第１方向Ｘ他端部２Ｂ側に退避した位置であって、第２方向Ｙの略中央部に配置される。
【００４９】
本実施の形態では、吸収体７は、端縁４Ａよりも第１方向Ｘ他端部２Ｂ側に退避した位置から、第１方向Ｘの中央を第１方向Ｘ他端部２Ｂ側に少し越えた位置にわたって設けられる。より詳細には、端縁４Ａから他端部２Ｂ側に距離Ｌ４退避した位置から、他端部２Ｂの端縁４Ｂから一端部２Ａ側に距離Ｌ５退避した位置にわたって設けられる。本実施形態において、距離Ｌ４は、２．０ｃｍであり、距離Ｌ５は、１３．４ｃｍである。
【００５０】
吸収体７の設けられる位置は、上記範囲に限らず、たとえば、端縁４Ａよりも第１方向Ｘ他端部２Ｂ側に退避した位置から、第１方向Ｘ他端部２Ｂの端縁４Ｂにわたって配設されていてもよく、端縁４Ａよりも第１方向Ｘ他端部２Ｂ側に退避した位置から、第１方向Ｘの中央までに配設されていてもよい。
【００５１】
吸収体７のサイズや吸収能力などは、ペット用おむつ１が用いられるペットのサイズや種類によって適宜決定されるが、生理現象およびマーキングによるペットの複数回の排尿を十分に吸収し、保持することができるサイズおよび吸収能力であればよい。
【００５２】
吸収体７としては、公知のあらゆる吸水性材料を用いることができる。本実施形態では、吸収体７は、フラッフ状繊維、吸水性ポリマおよび消臭剤を含む。フラッフ状繊維は、たとえばパルプを１ｍｍ以上１０ｍｍ以下の長さに切断した親水性繊維を撹拌して綿状にした綿状パルプを用いることができる。吸収体７は、フラッフ状繊維で形成されるので、吸収体７は繊維間に多数の空隙を有する。したがって、液体を面方向および厚み方向に効率よく移動させて吸収することができる。
【００５３】
吸水性ポリマは、自重の約１０倍以上３００倍以下の水分を吸収してゲル状に凝固する高分子吸収体であり、吸水性ポリマとしては、たとえば抗菌性を有する吸水性ポリマや荷重下通液性を有する吸水性ポリマなどを用いることができる。前記抗菌性を有する吸水性ポリマの例としては、商品名サンフレッシュＳＴ−９００Ｅ（サンダイヤポリマー株式会社製）を挙げることができ、荷重下通液性を有する吸水性ポリマとしては、商品名サンウェットＩＭ−９３０（サンダイヤポリマー株式会社製）を挙げることができる。本実施形態では、吸水性ポリマとして、アクリル酸ナトリウム塩およびアクリル酸カリウム塩などの吸水性ポリマに、抗菌剤を電気的に重合させて付着させた抗菌性を有する高機能吸水性ポリマを用いている。このように吸水性ポリマが抗菌性をも有することで、吸収体７における菌の繁殖を抑えることができる。
【００５４】
また、本実施形態では、吸水性ポリマは、吸収体７内に均等に分散されている。このように構成されることによって、ペットの排尿が内側シート５上のいずれの部分から浸透した場合であっても、効率よく排尿を吸収し保持することができる。また、消臭剤を吸収体７内に均等に分散することで、アンモニア臭などの人にとって不快な臭いが外部に漏れ出すのを防ぐことができる。
【００５５】
本実施形態において吸収体７は、第１方向Ｘの距離Ｌ６が１４．６ｃｍ、第２方向Ｙの距離Ｌ７が６．０ｃｍ、第３方向Ｚの距離Ｌ８が８．０ｍｍである。吸収体７の距離Ｌ６〜Ｌ８は、上記数値に限られず、ペット用おむつ１が用いられるペットのサイズや種類によって適宜決定され、前述のように生理現象およびマーキングによるペットの複数回の排尿を十分に吸収し、保持することができる容量、すなわちサイズおよび吸収能力を有していればよい。
【００５６】
漏出防止シート８は、内側シート５の他方主面５ｂ、外側シート６の一方主面６ａおよび補強シート１０の一方主面上に、第１方向Ｘに沿って延びて設けられる帯状のシート体である。漏出防止シート８は、その幅方向一端部が内側シート５の他方主面５ｂ、外側シート６の一方主面６ａおよび補強シート１０の一方主面に接合される基端部として形成され、幅方向他端部が弾発的に伸縮可能な遊端部として形成される。漏出防止シート８における長手方向は、ペット用おむつ１を水平面上に展開して載置した場合において、第１方向Ｘと一致し、幅方向は、ペット用おむつ１を水平面上に展開して載置した場合において、第２方向Ｙと一致する。漏出防止シート８の遊端部は、内側に折り返され、その中に後述する索条１２が内封される。
【００５７】
漏出防止シート８は、外側シート６と同様に不透水性および可撓性を有するシートなどを用いて形成することができ、たとえば、スパンボンド法およびメルトブロー法で製造したポリプロピレン製の複数の不織布を、スパンボンド法で製造した不織布、メルトブロー法で製造した不織布、メルトブロー法で製造した不織布、スパンボンド法で製造した不織布の順で積層させ、防水加工を施した不織布によって形成されている。漏出防止シート８は、いわゆる立体ギャザーである。
【００５８】
漏出防止シート８の遊端部には、弾発的に伸縮可能な索条１２が内側シート５および外側シート６に対して第１方向Ｘに緊張、すなわち伸長された状態で内封して配設されており、遊端部は、弾発的に伸縮可能である。したがって、ペット用おむつ１の装着時には、索条１２の収縮力によって遊端部が基端部よりも収縮し、漏出防止シート８が立体的に立ち上げられる。
【００５９】
このように、漏出防止シート８が立体的に立ち上がることによって、たとえばペット用おむつ１が、ペットに装着された場合には、第２方向Ｙに排尿が拡がると、漏出防止シート８によってせき止められ、漏出防止シート８に沿って吸収体７に導かれることになるので、排尿が第２方向Ｙから漏れ出すのを防ぐとともに、排尿を吸収体７に確実に吸収させることができる。
【００６０】
索条１２は、弾発的に伸縮可能なものであれば、公知のあらゆる素材を用いることができ、本実施形態では細いゴム紐が用いられる。
【００６１】
補強シート１０は、内側シート５と外側シート６との間に設けられ、可撓性および伸縮性を有する素材からなる。補強シート１０は、厚み方向（第３方向Ｚ）における両主面のうち、一方主面が内側シート５の一方主面５ａおよび漏出防止シート８と対向し、他法主面が外側シート６の一方主面６ａに対向するように配置され、内側シート５、外側シート６および漏出防止シート８と接合される。また本実施形態において、補強シート１０は、第２方向Ｙ両端１３，１４寄りの領域には設けられず、第２方向Ｙ中央部を含む範囲にのみ設けられる。
【００６２】
一方の補強シート１０は、吸収体７よりも第１方向Ｘ一端部２Ａの端縁４Ａ側、より詳細には、第１方向Ｘにおいて、端縁４Ａから吸収体７が配設される領域の手前までであって、第２方向Ｙにおいて、一端１３から所定の距離Ｌ１１だけ離間した位置から他端１４から所定の距離Ｌ１１離間した位置までに設けられる。
【００６３】
また他方の補強シート１０は、吸収体７よりも第１方向Ｘ他端部２Ｂの端縁４Ｂ側、より詳細には、第１方向Ｘにおいて、端縁４Ｂから吸収体７が配設される領域の手前までであって、第２方向Ｙにおいて、一端１３から所定の距離Ｌ１１だけ離間した位置から他端１４から所定の距離Ｌ１１離間した位置までに設けられる。ペット用おむつ１を展開した状態において、他方の補強シート１０は、ペット用おむつ１の中心に対して、一方の補強シート１０と対称となる位置に設けられる。
【００６４】
距離Ｌ１１は、ペット用おむつ１が用いられるペットのサイズや種類などによって適宜決定され、１．０ｃｍ〜１．５ｃｍの範囲であればよく、本実施形態では１．２５ｃｍである。
【００６５】
補強シート１０のサイズは、ペット用おむつ１が用いられるペットのサイズや種類などによって適宜決定されるが、たとえば長辺が１８ｃｍ〜１９ｃｍ、短辺が１．２ｃｍ〜２．０ｃｍの長方形状の素材が用いられる。本実施形態では、長辺が１８．５ｃｍ、短辺が２．０ｃｍの長方形状の伸縮ウレタンが用いられる。本実施形態では、補強シート１０の長手方向（長辺方向）は、第２方向Ｙと一致し、幅方向（短辺方向）は、第１方向Ｘと一致し、厚み方向は、第３方向Ｚと一致する。
【００６６】
補強シート１０は、本実施形態では、ペット用おむつ１の第１方向Ｘ一端部２Ａ側および他端部２Ｂ側の両側に設けられるが、他の実施形態では第１方向Ｘ一端部２Ａ側のみに設けられてもよく、第１方向Ｘ他端部２Ｂ側のみに設けられてもよい。
【００６７】
切込み１１は、装着時にペットの尻尾を外部に出すための孔を形成するための切込みであり、内側シート５および外側シート６の吸収体７よりも第１方向Ｘ他端部２Ｂ側であって、第２方向Ｙの略中央に設けられる。本実施形態では、切込み１１は、内側シート５および外側シート６をＵ字形状に切られて形成される。
【００６８】
このように切込み１１が形成されるので、切込み１１にペットの尻尾を通してペット用おむつ１を装着することができる。したがって、尻尾によってペット用おむつ１の位置が固定されるので、ペット用おむつ１が不所望にずれることを防ぐことができ、排尿の漏れを防止し、吸収体７に確実に吸収させることができる。
【００６９】
切込み１１の形状は、尻尾を通すことができれば、半円状や一本の直線、複数本の直線が一点でクロスしたものなどのいずれでもよいが、角が無いほうが加工を行い易く製造を容易に行うことができるので、Ｕ字形状や半円状が好ましい。切込み１１の寸法は、ペット用おむつ１が用いられるペットのサイズや種類などによって適宜決定されるが、その開口面積が３ｃｍ２〜１５ｃｍ２であればよい。また、切込み１１を形成する代わりに、予め開口した抜き孔を形成してもよい。
【００７０】
おむつ本体２の第２方向Ｙ両端部９Ａ，９Ｂに、索条１５が第１方向Ｘに沿って、かつ第１方向Ｘに緊張、すなわち伸長された状態で配置される。より詳細には、外側シート６と漏出防止シート８との間であって、吸収体７および内側シート５よりも第２方向Ｙ両端部９Ａ，９Ｂ側の位置に内封して配設される。このように索条１５が内封されることによって、第２方向Ｙ両端部９Ａ，９Ｂは、弾発的に伸縮可能である。
【００７１】
索条１５は、弾発的に伸縮可能なものであれば、公知のあらゆる素材を用いることができ、本実施形態では細いゴム紐が用いられる。また、索条１５の数は、弾発的に伸縮可能であれば、限られることはないが、本実施形態では、各端部９Ａ，９Ｂに２本ずつ設けられる。このような索条１５が設けられることによって、ペット用おむつ１の装着時には、索条１５の収縮力によって第２方向Ｙ両端部９Ａ，９Ｂが立体的に立ち上げられ、いわゆるレッグギャザーが形成される。
【符号の説明】
【００７２】
１  ペット用おむつ
２  おむつ本体
３  係止手段
５  内側シート
６  外側シート
７  吸収体
８  漏出防止シート
１０  補強シート
１１  切込み  
【図１】
2013135638.tif 000003
【図２】
2013135638.tif 000004
【図３】
2013135638.tif 000005